(57)【要約】【課題】照明器具の上に降った雨水等を支柱との取付部側に流れるように制御することができる照明器具を提供する。【解決手段】取付部３０Ａを支柱１１に取り付けると、灯体２０Ａの天面２４は、水平面ＨＬに対して支柱１１と反対側が高くなるように傾斜する。天面２４は、取付部３０Ａとは反対側から取付部３０Ａ側まで、所定長さ連続して断面略凹形状に形成されている。このため、灯体２０Ａの天面２４に降った雨や雪は、下側である支柱１１側に流れる。また、降った雨や雪によって氷柱が発生する場合でも、支柱１１側で発生するので、氷柱が落下した際でも安全である。さらに、氷柱が支柱１１側で発生するので、灯体２０Ａから発せられた光を遮らずに下方を照明することができる。【選択図】図２
2014093254.tif 000002
【特許請求の範囲】
【請求項１】
支柱に取付可能な取付部と、
前記取付部に連結され、前記取付部側が下方となるように水平面に対して天面が傾斜した状態で支持される灯体と、
前記灯体における前記天面とは反対側に取り付けられる発光部と、
前記灯体における前記天面とは反対側に取り付けられ、前記発光部を覆う透光カバーと、を備え、
前記天面は、前記取付部とは反対側から前記取付部側まで所定長さ連続する断面略凹形状である照明器具。
【請求項２】
請求項１に記載の照明器具において、
前記天面は、前記取付部とは反対側から前記取付部側まで所定長さ連続する谷線と、
前記谷線に向かう一対の斜面とを有する断面略Ｖ字形状である照明器具。
【請求項３】
請求項１または請求項２に記載の照明器具において、
前記灯体は、前記天面に隣り合うとともに前記透光カバーに向かう面取部を有し、
前記面取部は、水平面に対して６０度以上の傾斜面を備える照明器具。
【請求項４】
請求項１ないし請求項３のうちのいずれか１項に記載の照明器具において、
前記天面に設けられ、前記取付部とは反対側から前記取付部側まで所定長さ連続するリブを有する照明器具。
【請求項５】
請求項１ないし請求項４のうちのいずれか１項に記載の照明器具において、
前記天面における前記取付部側に設けられ、かつ、前記取付部側に開口する凹部を有する照明器具。
【請求項６】
請求項５に記載の照明器具において、
前記開口の開口面積が、前記凹部における前記取付部とは反対側と前記取付部側とを結ぶ線に対して直交する断面積よりも小さい照明器具。
【請求項７】
請求項５または請求項６に記載の照明器具であって、
前記発光部は、回路基板と、前記回路基板に実装されたＬＥＤユニットとを有し、
前記灯体における前記天面とは反対側に前記凹部に対応して設けられた凸部に前記回路基板が接触している照明器具。
【発明の詳細な説明】
【技術分野】
【０００１】
本発明は、屋外において街路灯等として用いられる照明器具に関するものである。
【背景技術】
【０００２】
従来、屋外において道路等として用いる照明器具が知られている（例えば、特許文献１参照）。
図１６に示すように、特許文献１に記載の照明器具１００は、ポール（図示省略）の上端に取り付けて、例えば高速道路や一般道路等の道路に、道路灯等として用いることができる。
照明器具１００は器具本体１０１を有しており、器具本体１０１の一端にはポールに取り付けるための取付部１０７を有する。
器具本体１０１は、ケース本体１０２の上面の開口端に、上蓋１０３をねじ止め等によって固定することにより、ケース本体１０２を密閉する。
上蓋１０３は、ほぼ中央部を頂部１０４とし、その幅方向両側に外方へ膨出する湾曲面１０５を有する。
頂部１０４には、凹弧状に凹む帯状の凹部１０６が形成されており、凹部１０６は、中央が高く、取付部１０７側および先端側に漸次低くなるように湾曲している。
【先行技術文献】
【特許文献】
【０００３】
【特許文献１】特開２０１２−１０９１９５号公報（第３図）
【発明の概要】
【発明が解決しようとする課題】
【０００４】
しかしながら、前述した特許文献１に記載の照明器具１００においては、上蓋１０３の上に降った雨や溶けた雪（以後、「雨水等」と云う。）が、凹部１０６に沿って取付部１０７側に流れる（図１６中矢印Ａ参照）。
また、先端側にも流れる（図１６中矢印Ｂ参照）。
さらに、雨水等は、湾曲面１０５に沿って幅方向にも流れる（図１６中矢印Ｃ参照）。
このため、図１７に示すように、雨水等１０８は、照明器具１００のあらゆる方向から流れ落ち、この雨水等が冷やされると、あらゆる方向に氷柱（つらら）１０９を形成するので、改善が望まれているという問題があった。
【０００５】
本発明は、従来の問題を解決するためになされたもので、照明器具の上に降った雨水等を支柱との取付部側に流れるように制御することができる照明器具を提供することを目的とする。
【課題を解決するための手段】
【０００６】
本発明の照明器具は、支柱に取付可能な取付部と、前記取付部に連結され、前記取付部側が下方となるように水平面に対して天面が傾斜した状態で支持される灯体と、前記灯体における前記天面とは反対側に取り付けられる発光部と、前記灯体における前記天面とは反対側に取り付けられ、前記発光部を覆う透光カバーと、を備え、前記天面は、前記取付部とは反対側から前記取付部側まで所定長さ連続する断面略凹形状であるものである。
【０００７】
また、本発明の照明器具は、前記天面は、前記取付部とは反対側から前記取付部側まで所定長さ連続する谷線と、前記谷線に向かう一対の傾斜面とを有する断面略Ｖ字形状であるものである。
【０００８】
また、本発明の照明器具は、前記灯体は、前記天面に隣り合うとともに前記透光カバーに向かう面取部を有し、前記面取部は、水平面に対して６０度以上の斜面を備えるものである。
【０００９】
また、本発明の照明器具は、前記天面に設けられ、前記取付部とは反対側から前記取付部側まで所定長さ連続するリブを有するものである。
【００１０】
また、本発明の照明器具は、前記天面における前記取付部側に設けられ、かつ、前記取付部側に開口する凹部を有するものである。
【００１１】
また、本発明の照明器具は、前記開口の開口面積が、前記凹部における前記取付部とは反対側と前記取付部側とを結ぶ線に対して直交する断面積よりも小さいものである。
【００１２】
さらに、本発明の照明器具は、前記発光部は、回路基板と、前記回路基板に実装されたＬＥＤユニットとを有し、前記灯体における前記天面とは反対側に前記凹部に対応して設けられた凸部に前記回路基板が接触しているものである。
【発明の効果】
【００１３】
本発明は、灯体の天面は水平面に対して支柱と反対側が高くなるように傾斜しており、天面には、取付部とは反対側から取付部側まで、所定長さ連続して断面略凹形状に形成されている。このため、灯体の天面に降った雨や雪を、全て下側である支柱側に流すように制御できるという効果を有する照明器具を提供できる。
【図面の簡単な説明】
【００１４】
【図１】本発明に係る第１実施形態の照明器具の使用状態を示す斜視図
【図２】（Ａ）は第１実施形態の照明器具の平面図であり、（Ｂ）は側面図
【図３】図２（Ａ）中ＩＩＩ−ＩＩＩ位置の断面図
【図４】図２（Ａ）中ＩＶ−ＩＶ位置の断面図
【図５】図２（Ａ）中Ｖ方向から見た端面図
【図６】天板を上方から見た概略斜視図
【図７】（Ａ）は第２実施形態の照明器具の平面図であり、（Ｂ）は側面図
【図８】第２実施形態の照明器具における天板と取付部との取り付けを示す分解斜視図
【図９】図７（Ａ）中ＩＸ−ＩＸ位置の断面図
【図１０】灯具の上面に形成する傾斜面の変形例を示す斜視図
【図１１】灯具の上面に形成する傾斜面の別の変形例を示す斜視図
【図１２】灯具の上面に形成する傾斜面のさらに別の変形例を示す斜視図
【図１３】灯具の上面に形成するリブの変形例を示す斜視図
【図１４】灯具の形状の変形例を示す斜視図
【図１５】光源の変形例を示す透視図
【図１６】従来の照明器具の斜視図
【図１７】従来の照明器具の問題点を示す正面図
【発明を実施するための形態】
【００１５】
（第１実施形態）
以下、本発明に係る第１実施形態の照明器具について、図面を用いて説明する。
図１に示すように、本発明に係る実施形態の照明器具１０Ａは、例えば道路等に併設されている被取付部としての支柱１１に取り付けて街路灯として用いることができる。
図２（Ａ）および図２（Ｂ）に示すように、照明器具１０Ａは、灯体２０Ａと、灯体２０Ａの一方の端部に設けられて支柱１１に取り付けられる取付部３０Ａを有する。
なお、以後の説明において、灯体２０Ａ等の取付部３０Ａ側を基端側（基端部）と云い、取付部３０Ａと反対側を先端側（先端部）と云うこととする。
【００１６】
取付部３０Ａは、左右の取付板３１を有する。
左右の取付板３１は、基端側端部において、上下一対の連結板３５で連結されて一体化されている。
連結板３５は、取り付けた際に支柱１１の外面に沿うように、湾曲部３５１が設けられている。
左右の取付板３１は、先端側に灯体２０Ａを支持する支持部３２を有し、基端側に支柱１１に取り付けるためのブラケット３３を有する。
ブラケット３３は、支持部３２側（先端側）が高く、基端側が低くなるように傾斜しており、ブラケット３３に沿った長円形の取付孔３４が設けられている。
【００１７】
従って、取付孔３４を介して取付部３０Ａを支柱１１に設けられている取付板（図示省略）に取り付けると、連結板３５の上下の湾曲部３５１が支柱１１の外周面に当接するので、ブラケット３３および取付孔３４は、支柱１１に沿って取り付けられる。
これにより、灯体２０Ａは、先端側が基端側よりも上側になるように傾斜して支柱１１に取り付けられる（図１参照）。
【００１８】
灯体２０Ａは、天板２１Ａと、天板２１Ａの下方に取り付けられる透光カバー２２を有する。
図２（Ａ）に示すように、透光カバー２２は、ヒンジ部２２１を介して天板２１Ａの先端に回動可能に設けられており、図２（Ｂ）中矢印Ａ方向に開閉する。
なお、図示はしないが、透光カバー２２は閉じた状態で、天板２１Ａに固定される。
【００１９】
図３および図４に示すように、天板２１Ａは全体矩形板状を呈しており、天板２１Ａの外周縁部から下方に延びる面取部２３を有する。
天板２１Ａは、アルミダイカストによって一体的に形成することができる。
このとき、前述した取付部３０Ａを天板２１Ａと一体的に形成することができる。
天板２１Ａおよび取付部３０Ａは、外側に露出する面を塗装することが望ましいが、このとき、撥水性の塗料を用いるのが望ましい。
【００２０】
面取部２３は、天板２１Ａの上面（天面）２４に連続し、下方に向かって外側へ傾斜した斜面２３１を有する。
面取部２３は、下面に凹部２３２を有しており、透光カバー２２の上端部２２２が嵌合可能となっている。
透光カバー２２の上端部２２２には、外側に突出する係止部２２３が設けられており、透光カバー２２を閉じた際に、密閉を図っている。
【００２１】
なお、図３に示すように、斜面２３１の水平面（鉛直線に直行する面）ＨＬに対する傾斜角度θ１は、６０度以上が望ましい。
６０度以上の勾配があると、少量のうちに雪を落下させることができ、積雪の防止に効果的であるためである。（参考文献：独立行政法人 土木研究所 寒地土木研究所情報センター［ｏｎｌｉｎｅ］、平成２０年３月１０日、刊行物＜寒地土木研究所月報・No６５８、Ｐ４５＞、［平成２４年１１月１日検索］、インターネット：＜http://thesis.ceri.go.jp/center/doc/geppou/setuhyo/00160290701.pdf＞）。
【００２２】
図２（Ａ）および図６に示すように、天板２１Ａは、上面２４の幅方向中央部が下方に凹む凹形状の断面を有する。
例えば、図３に示すように、上面２４の幅方向中央に、天板２１Ａの先端から基端側に向かって所定長さ連続する谷線２５を有する。なお、谷線２５は、不連続であっても可能である。
谷線２５は、上面２４において長手方向に同じ深さ位置に設けられており、谷線２５の両側に、谷線２５に向かって下降する一対の傾斜面２６を有する。
【００２３】
これにより、天板２１Ａは、断面略Ｖ字形状を呈する。
なお、傾斜面２６が水平面ＨＬに対して成す傾斜角度θ２は、例えば、３度程度とすることができる。
また、左右の傾斜面２６が非対称であって、傾斜角度θ２が異なる場合でも可能である。
また、傾斜面２６は平面に限らず、下方に凹む凹面であっても可能である。
【００２４】
図２（Ａ）および図６に示すように、天板２１Ａの上面２４における取付部側には凹部２７が設けられている。
凹部２７の底面２７２は、谷線２５の深さ位置と同じ深さ位置か、谷線２５の深さ位置よりも深い位置（下方）に設けられており、長手方向に同じ深さ位置に設けられている。
凹部２７は、先端側に先端側端面２７４を有し、取付部側に開口２７１を有する。
また、凹部２７の両側には、上方に突出し、取付部側まで所定長さ連続するリブ２９が設けられている（図２（Ａ）および図４参照）。
【００２５】
凹部２７は、先端側から基端側に向かって一定の幅Ｗ１で設けられており、基端側には、上面が傾斜面２６と同じ傾斜を有する台部２８を有する。
このため、台部２８によって凹部２７の幅が漸減し、開口２７１では幅Ｗ２となっており、開口２７１の開口面積は、一定の幅Ｗ１を有する一般部の断面積よりも小さくなっている。
なお、図５に示すように、台部２８の内部には空間２８１が形成されており、後述する電源部４３と商用電源とを電気的に接続する電線４４が配線可能となっている。
【００２６】
図２（Ｂ）および図４に示すように、灯体２０Ａにおける天板２１Ａの上面２４とは反対側、すなわち天板２１Ａの下面としての凹部２７の下面（凸部）２７３には、発光部４０が取り付けられる。
発光部４０は、凹部２７の下面２７３に取り付けられる回路基板４１と、回路基板４１の実装面４１３に実装される複数のＬＥＤユニット４２と、電源部４３を有する。
なお、電源部４３の先端側に明るさセンサ４５（図２（Ｂ）参照）を取り付けて、周囲が暗くなったら発光部４０を点灯させ、明るくなったら消灯するようにすることができる。
【００２７】
図２（Ｂ）に示すように、回路基板４１の長手方向寸法は、回路基板４１の先端側端面４１１が、凹部２７の先端側端面２７４（図６参照）よりも先端側に突出して位置することが可能である。
しかし、回路基板４１において回路パターンが設けられている長手方向範囲ＲＬは、少なくとも凹部２７の下面２７３の範囲内である（図２（Ｂ）参照）。
【００２８】
また、図４に示すように、回路基板４１の幅方向寸法は、凹部２７の幅寸法よりも大きいものであっても可能だが、回路パターンが設けられている回路基板４１の幅方向範囲ＲＷは、少なくとも凹部２７の下面２７３の範囲内である。
これにより、回路基板４１において発熱部分である回路パターンが設けられている範囲の裏面４１２が、凹部２７の下面２７３に接触することになり、回路基板４１の熱は、凹部２７から天板２１Ａに伝達されるので、効率的に放熱される。
【００２９】
本発明にかかる第１実施形態の照明器具１０Ａの作用効果について説明する。
図１に示すように、取付部３０Ａを支柱１１に取り付けると、灯体２０Ａの上面２４は、水平面ＨＬに対して先端側が高くなるように傾斜する。
図２（Ａ）に示すように、上面２４は、先端側から基端側まで、所定長さ連続して断面略凹形状に形成されている。
このため、灯体２０Ａの上面２４に降った雨や雪を、下側である支柱１１側に流れるように制御することができる。
また、降った雨や雪によって氷柱が発生する場合でも、支柱１１側で発生するので、氷柱が落下した際でも安全である。
さらに、氷柱が支柱１１側で発生するので、灯体２０Ａから発せられた光を遮らずに下方を照明することができる。
【００３０】
また、図２（Ａ）および図６に示すように、上面２４は、取付部３０Ａとは反対側から取付部３０Ａ側まで所定長さ連続する谷線２５と、谷線２５に向かう一対の傾斜面２６とを有する断面略Ｖ字形状に形成されている。
このため、上面２４に降った雨水等を確実に支柱１１側に流すことができる。
【００３１】
また、図３および図４に示すように、灯体２０Ａは、上面２４に隣り合うとともに透光カバー２２に向かって設けられた面取部２３が、水平面ＨＬに対して６０度以上傾斜しているので、灯体２０Ａに雪が積もりにくい。
【００３２】
また、図２（Ａ）および図４に示すように、上面２４において取付部３０Ａとは反対側から取付部３０Ａ側まで所定長さ連続するリブ２９を設けた。
このため、強い雨が降った場合でも、リブ２９の内側に降った雨水等を、確実に支柱１１側に流すことができる。
【００３３】
また、図２（Ａ）および図６に示すように、上面２４における取付部３０Ａ側に、取付部３０Ａ側に開口（開口２７１）する凹部２７を設けたので、凹部２７に雨水等を溜めてまとめて流すことができる。
【００３４】
また、図２（Ａ）および図５に示すように、凹部２７の開口２７１の開口面積が、凹部２７における先端側と基端側とを結ぶ線に対して直交する一般部における断面積よりも小さいので、凹部２７に雨水等を溜めやすく、勢いよく流すことができる。
また、電線４４等の空間２８１を確保できる。
【００３５】
さらに、図２（Ｂ）および図４に示すように、灯体２０Ａにおける上面２４とは反対側にある凹部２７の下面２７３に、発光部４０においてＬＥＤユニット４２を実装する回路基板４１の裏面４１２における回路パターン範囲を接触させる。
これにより、回路基板４１が発する熱によって、凹部２７に溜まった水が凍るのを防止できるので、雨水等を確実に支柱１１側に流すことができる。
【００３６】
（第２実施形態）
次に、本発明に係る第２実施形態の照明器具について説明する。
なお、前述した第１実施形態に係る照明器具１０Ａと共通する部位には同じ符号を付して、重複する説明を省略することとする。
図７（Ａ）、図７（Ｂ）および図８に示すように、本発明に係る第２実施形態の照明器具１０Ｂでは、灯体２０Ｂの天板２１Ｂを、ＡＳＡ樹脂（Acrylate Styrene Acrylonitrile Copolymer)で形成した。
【００３７】
天板２１Ｂは、基端側に突出した一対の接続部５１を有しており、接続部５１には、下方に開口する嵌合隙間５２が設けられている。
天板２１Ｂに設けられている凹部２７には、中央に突起５３が設けられており、凹部２７を流れる雨水等を、左右に分断する。
取付部３０Ｂは、全体Ｊ字形状の取付板３１を一対有しており、両取付板３１を連結板３６で連結している。
【００３８】
従って、天板２１Ｂに取付部３０Ｂを取り付ける際には、取付部３０Ｂの取付板３１を天板２１Ｂの接続部５１の嵌合隙間５２に下方から挿嵌し、連結板３６が、凹部２７の下面２７３に接触した状態で接着剤やねじ等の接続手段により固定する。
これに伴い、図９に示すように、連結板３６の下面に回路基板４１の裏面４１２が接触することになる。
なお、天板２１Ｂおよび取付部３０Ｂは、外側に露出する面を塗装することが望ましいが、このとき、撥水性の塗料を用いるのが望ましい。
【００３９】
以上のように構成することにより、前述した第１実施形態の照明器具１０Ａと同様の作用、効果を得ることができる。
また、ＡＳＡ樹脂で天板２１Ｂを形成するので、照明器具１０Ｂの軽量化を図ることができる。
【００４０】
本発明の照明器具は、前述した各実施形態に限定されるものでなく、適宜な変形、改良等が可能である。
例えば、前述した各実施形態においては、天板２１Ａ、２１Ｂの上面２４に凹部２７を設けた場合について説明したが、凹部２７を設けないで先端側から基端側まで谷線２５および傾斜面２６を設けるようにすることも可能である。
なお、以下の変形例の説明においては、凹部２７を設けない場合を図示して説明するが、凹部２７を設ける場合も同様である（図１０参照）。
【００４１】
また、前述した各実施形態においては、取付部３０Ａ、３０Ｂを支柱１１に取り付けることにより、灯体２０Ａ、２０Ｂの先端側が高く基端側が低くなるように、傾斜して取り付けられるようにした。
図１０に示す照明器具１０Ｃでは、天板２１Ｃに設ける谷線２５の先端側を基端側よりも高くなるように、傾斜面２６が成す角度α１、α２を、先端側（α１）で大きく、基端側（α２）で小さくした。
また、取付部３０Ｃのブラケット３３および取付孔３４を灯体２０Ｃの上下方向に設けた。
取付部３０Ｃを介して、灯体２０Ｃを支柱１１に水平に取り付けても、谷線２５の位置は先端側で浅く（高く）、基端側で深く（低く）なるので、天板２１Ｃに降った雨水等を基端側に流すことができる。
【００４２】
また、図１１に示す照明器具１０Ｄのように、天板２１Ｄに設ける谷線２５を長手方向の途中から基端側まで設け、谷線２５の先端側に傾斜面５４を設けることも可能である。
【００４３】
また、前述した各実施形態においては、谷線２５で交わる一対の傾斜面２６によって、天板２１Ａ、２１Ｂの上面２４をＶ字形状に形成した。
これに変わって、図１２に示す照明器具１０Ｅのように、天板２１Ｅの上面２４を、下方に凹んだ曲面５５で構成することも可能である。
【００４４】
また、前述した各実施形態においては、リブ２９を凹部２７を囲うように設けたが、図１３に示す照明器具１０Ｆのように、リブ５６を、天板２１Ｆの上面２４の外周縁に全周にわたって設けることも可能である。
この場合には、谷線２５の基端側に対応するリブ５６に、開口５６１を設ける。
【００４５】
また、前述した各実施形態においては、天板２１Ａ、２１Ｂおよび透光カバー２２を、先端側から基端側までを長手方向とし、これに直交する幅方向を短手方向とした。
これに代わり、図１４に示す照明器具１０Ｇのように、天板２１Ｇおよび透光カバー２２Ｇを、先端側から基端側までを短手方向とし、これに直交する幅方向を長手方向とすることも可能である。
【００４６】
さらに、前述した各実施形態においては、発光部４０に設ける光源として、ＬＥＤユニット４２を用いた場合を例示した。
このほか、図１５に示す照明器具１０Ｈように、蛍光灯５７を光源として用いることも可能である。
この場合、天板２１Ｈには、蛍光灯用の点灯装置５８が収容される。
【符号の説明】
【００４７】
１０Ａ、１０Ｂ  照明器具
１１  支柱
２０Ａ、２０Ｂ  灯体
２２  透光カバー
２３  面取部
２３１  斜面
２４  上面（天面）
２５  谷線
２６  傾斜面
２７  凹部
２７１  開口
２７３  下面（凸部）
２９  リブ
３０Ａ、３０Ｂ  取付部
４０  発光部
４１  回路基板
４２  ＬＥＤユニット
ＨＬ  水平面
【図１】
2014093254.tif 000003
【図２】
2014093254.tif 000004
【図３】
2014093254.tif 000005
【図４】
2014093254.tif 000006
【図５】
2014093254.tif 000007
【図６】
2014093254.tif 000008
【図７】
2014093254.tif 000009
【図８】
2014093254.tif 000010
【図９】
2014093254.tif 000011
【図１０】
2014093254.tif 000012
【図１１】
2014093254.tif 000013
【図１２】
2014093254.tif 000014
【図１３】
2014093254.tif 000015
【図１４】
2014093254.tif 000016
【図１５】
2014093254.tif 000017
【図１６】
2014093254.tif 000018
【図１７】
2014093254.tif 000019